(57)【要約】【課題】雪止め部材を含む太陽光発電装置の全体の剛性を高くして雪等の負荷に対する強度を向上させることである。【解決手段】太陽光発電装置１０は、軒側モジュール１１ａと、棟側モジュール１１ｂと、軒側モジュール１１ａと棟側モジュール１１ｂとの間に配置される雪止め部材２０とを備える。軒側モジュール１１ａ及び棟側モジュール１１ｂの少なくとも一方のモジュールフレーム１３ａ，１３ｂは、太陽電池パネル１２ａ，１２ｂの周縁部を収納する内溝１６ａ，１６ｂと、太陽電池パネル１２ａ，１２ｂと反対側に設けられる外溝１７ａ，１７ｂとを有する。雪止め部材２０は、モジュールフレーム１３ａ，１３ｂの間から上方に突出する雪止め壁２１と、雪止め壁２１に突設され、外溝１７ａ，１７ｂの少なくともいずれかに挿入される挿嵌部とを有する。【選択図】図６
2016070048.tif 000002
【特許請求の範囲】
【請求項１】
太陽電池パネル、及び当該パネルの周縁部に設けられるモジュールフレームを有し、屋根の軒側に設置される軒側モジュールと、
太陽電池パネル、及び当該パネルの周縁部に設けられるモジュールフレームを有し、屋根の前記軒側モジュールより棟側に隣接して設置される棟側モジュールと、
前記軒側モジュールと前記棟側モジュールとの間に取り付けられる雪止め部材と、
を備えた太陽光発電装置であって、
前記軒側モジュール及び前記棟側モジュールの少なくとも一方の前記モジュールフレームは、前記太陽電池パネルの周縁部を収納する内溝と、前記太陽電池パネルと反対側に設けられる外溝とを有し、
前記雪止め部材は、前記軒側モジュール及び前記棟側モジュールの間から上方に突出する雪止め壁と、前記雪止め壁に突設され、前記モジュールフレームの前記外溝に挿し込まれる挿嵌部とを有し、前記軒側モジュールと前記棟側モジュールとに跨って取り付けられる、太陽光発電装置。
【請求項２】
前記軒側モジュールの前記各モジュールフレームは、前記太陽電池パネルと反対側に設けられる前記外溝を有し、
前記雪止め部材の前記挿嵌部は、少なくとも前記軒側モジュールの前記外溝に挿し込まれている、請求項１に記載の太陽光発電装置。
【請求項３】
前記軒側モジュール及び前記棟側モジュールの前記各モジュールフレームは、前記太陽電池パネルと反対側に設けられる前記外溝を有し、
前記雪止め部材の前記挿嵌部は、前記雪止め壁の厚み方向両側へ突出しており、前記軒側モジュール及び前記棟側モジュールの前記各外溝にそれぞれ挿し込まれている、請求項１に記載の太陽光発電装置。
【請求項４】
前記雪止め部材は、前記軒側モジュール及び前記棟側モジュールの前記各モジュールフレームに挟持されている、請求項１〜３のいずれか１項に記載の太陽光発電装置。
【請求項５】
上部にガイドレール部を有し、前記軒側モジュール及び前記棟側モジュールが載置される長尺状の架台フレームと、
前記ガイドレール部に沿って前記架台フレームの長手方向にスライド可能であり、前記各モジュールを前記架台フレームに固定するための固定部材と、
をさらに備えた請求項１〜４のいずれか１項に記載の太陽光発電装置。
【請求項６】
前記雪止め部材の前記雪止め壁には、前記固定部材との接触を避けるための切欠きが形成されており、
前記雪止め部材は、前記固定部材が設けられる位置に前記切欠きを配置し、前記固定部材を跨いで取り付けられている、請求項５に記載の太陽光発電装置。
【請求項７】
前記雪止め部材は、前記棟側モジュールの下まで延び、当該モジュールの前記モジュールフレームの下面に接触する棟側延出部を有する、請求項１〜６のいずれか１項に記載の太陽光発電装置。
【請求項８】
前記雪止め壁は、前記挿嵌部よりも下方に延出して、前記軒側モジュール及び前記棟側モジュールの前記各モジュールフレームに挟持される延出部を有する、請求項１〜７のいずれか１項に記載の太陽光発電装置。
【請求項９】
前記挿嵌部の先端部には、前記外溝の幅よりも大きく、当該外溝に圧入可能な係合部が設けられている、請求項１〜８のいずれか１項に記載の太陽光発電装置。
【請求項１０】
前記雪止め部材は、前記軒側モジュールと前記棟側モジュールとの間に複数配置され、
当該各雪止め部材は、少なくとも当該各モジュール間に配置される前において互いに連結されている、請求項１〜９のいずれか１項に記載の太陽光発電装置。
【請求項１１】
前記雪止め壁は、ネジ孔を有し、当該ネジ孔に挿通されるネジを用いて前記軒側モジュール及び前記棟側モジュールの一方の前記モジュールフレームに固定される、請求項１〜１０のいずれか１項に記載の太陽光発電装置。
【発明の詳細な説明】
【技術分野】
【０００１】
本開示は、太陽光発電装置に関する。より詳しくは、雪止め部材を備えた太陽光発電装置に関する。
【背景技術】
【０００２】
家屋が密集している都市部では、屋根に取り付けられた太陽光発電装置上に雪が積もった場合に、例えば一度に多くの雪が滑落して隣家の器物等を破損させることが想定される。このような落雪を防止すべく、屋根の棟側に向けて突出し、カバー突縁の先端から直角状に折り曲げられるように成形された雪止め部材を備える太陽電池モジュール支持装置が提案されている（特許文献１参照）。
【先行技術文献】
【特許文献】
【０００３】
【特許文献１】特開２０００−３４５６６８号公報
【発明の概要】
【発明が解決しようとする課題】
【０００４】
ところで、雪止め部材により雪が堰き止められると、雪止め部材だけでなく、例えば雪止め部材の固定対象等にも雪の負荷がかかるため、雪止め部材を含む太陽光発電装置の全体の剛性を高くして雪等の負荷に対する強度を向上させることは重要な課題である。
【課題を解決するための手段】
【０００５】
本開示の一態様である太陽光発電装置は、太陽電池パネル、及び当該パネルの周縁部に設けられるモジュールフレームを有し、屋根の軒側に設置される軒側モジュールと、太陽電池パネル、及び当該パネルの周縁部に設けられるモジュールフレームを有し、屋根の軒側モジュールより棟側に隣接して設置される棟側モジュールと、軒側モジュールと棟側モジュールとの間に取り付けられる雪止め部材とを備えた太陽光発電装置であって、軒側モジュール及び棟側モジュールの少なくとも一方のモジュールフレームは、太陽電池パネルの周縁部を収納する内溝と、太陽電池パネルと反対側に設けられる外溝とを有し、雪止め部材は、軒側モジュール及び棟側モジュールの間から上方に突出する雪止め壁と、雪止め壁に突設され、モジュールフレームの外溝に挿し込まれる挿嵌部とを有し、軒側モジュールと棟側モジュールとに跨って取り付けられる。
【発明の効果】
【０００６】
本開示の一態様によれば、雪止め部材を含む太陽光発電装置の全体の剛性を高くして雪等の負荷に対する強度を向上させることができる。
【図面の簡単な説明】
【０００７】
【図１】実施形態の一例である太陽光発電装置の平面図である。
【図２】実施形態の一例である太陽電池モジュールのモジュールフレームの横断面図である。
【図３】実施形態の一例である架台フレーム及び固定部材の斜視図である。
【図４】図１中のＡＡ線断面の一部を示す図である。
【図５】実施形態の一例である雪止め部材の斜視図である。
【図６】図１中のＢＢ線断面の一部を示す図である。
【図７】実施形態の一例である雪止め部材の施工手順を説明するための図である。
【図８】実施形態の他の一例である雪止め部材の側面図である。
【図９】実施形態の他の一例である雪止め部材の斜視図である。
【図１０】実施形態の他の一例である雪止め部材の側面図である。
【図１１】実施形態の他の一例である雪止め部材の側面図である。
【図１２】実施形態の他の一例である太陽光発電装置の平面図である。
【図１３】図１２中のＣＣ線断面の一部（モジュールフレームは省略）を示す図である。
【図１４】図１２中のＤＤ線断面の一部を示す図である。
【図１５】図１２中のＥＥ線断面の一部を示す図である。
【発明を実施するための形態】
【０００８】
以下、図面を参照しながら、実施形態の一例について詳細に説明する。
実施形態において参照する図面は、模式的に記載されたものであり、図面に描画された構成要素の寸法比率などは、現物と異なる場合がある。具体的な寸法比率等は、以下の説明を参酌して判断されるべきである。
【０００９】
以下では、２枚の太陽電池モジュール１１を屋根１００の棟軒方向に並べて設置し、屋根１００の軒側に設置される軒側モジュール１１ａと、屋根１００の棟側に設置される棟側モジュール１１ｂとの間に雪止め部材２０を取り付ける場合について説明する。また、屋根１００の軒側に設置される太陽電池モジュール１１を「軒側モジュール１１ａ」、屋根１００の棟側に軒側モジュール１１ａに隣接して設置される太陽電池モジュール１１を「棟側モジュール１１ｂ」とする。但し、３枚以上の太陽電池モジュール１１を棟軒方向に並べて設置し、各太陽電池モジュール１１の間に雪止め部材２０を配置してもよい。
【００１０】
図１は、実施形態の一例である太陽光発電装置１０の平面図である。図２は、太陽電池モジュール１１のモジュールフレーム１３（以下、単に「フレーム１３」という）の横断面図である。図１では、屋根１００の棟軒方向を矢印Ｘで示しており、矢先の方向が「棟側」である。
【００１１】
図１に示すように、太陽光発電装置１０は、複数の太陽電池モジュール１１を備える。太陽電池モジュール１１は、複数の太陽電池セルがガラス板等の保護部材で挟持された太陽電池パネル１２と、当該パネルの周縁部に設けられるフレーム１３とを有する。太陽電池モジュール１１及び太陽電池パネル１２は、例えば平面視で長方形を呈する。但し、太陽電池モジュールは、長方形以外の平面視形状を有していてもよく、正方形等の他の形状であってもよい。平面視とは、太陽電池パネル１２の受光面に対して垂直方向から観た場合である。太陽光発電装置１０では、例えば各太陽電池モジュール１１の短辺が棟軒方向に平行であり、隣り合う太陽電池モジュール１１の短辺同士が接触した状態で、各太陽電池モジュール１１が屋根１００上に配置されている。
【００１２】
太陽光発電装置１０は、少なくとも軒側モジュール１１ａと棟側モジュール１１ｂとの間に取り付けられる雪止め部材２０を備える。図１に示す例では、雪止め部材２０が屋根１００の棟軒方向に並ぶ２枚の太陽電池モジュール１１の各長辺に沿って設けられた各フレーム１３に挟持されている。雪止め部材２０は、軒側モジュール１１ａと棟側モジュール１１ｂとの間に複数配置されることが好適である。軒側モジュール１１ａと棟側モジュール１１ｂとの間には、雪止め部材２０の後述する雪止め壁２１の厚みに対応する間隙が存在する。
【００１３】
太陽光発電装置１０は、上部にガイドレール部３３（図３参照）を有し、太陽電池モジュール１１が載置される長尺状の架台フレーム３０と、太陽電池モジュール１１を架台フレーム３０に固定するための固定部材４０とを備えることが好適である。架台フレーム３０は、例えば金属板で構成される図示しない取り付け具を用いて、棟軒方向に沿って屋根１００に固定される。太陽電池モジュール１１は、棟軒方向と直交する横方向に所定間隔をあけて配置された２本の架台フレーム３０に載せられ、当該各フレームに固定部材４０を用いて固定されている。なお、太陽電池モジュール１１は、固定部材４０を介して架台フレーム３０上に載置されていてもよい。即ち、太陽電池モジュール１１は、架台フレーム３０上に直接載っていなくてもよい。
【００１４】
太陽電池モジュール１１のフレーム１３は、太陽電池パネル１２の周縁部を保護し、詳しくは後述するように、太陽電池モジュール１１を架台フレーム３０に取り付ける際に利用される。フレーム１３は、例えばアルミニウム等の金属材料を押出成形して形成される長尺状の部材である。フレーム１３は、例えば太陽電池パネル１２の各長辺及び各短辺に沿って取り付けられる複数の部材からなり、コーナーピース又はネジを用いて互いに接続されて太陽電池パネル１２の四方を囲む。後述の外溝１７は、太陽電池パネル１２の長辺に沿って取り付けられるフレーム１３のみに設けられていればよい。
【００１５】
図２に示すように、フレーム１３は、太陽電池パネル１２の周縁部を収納する内溝１６と、太陽電池パネル１２と反対側に設けられる外溝１７とを有する。フレーム１３は、例えば横断面形状が上下方向に長い略矩形状である中空構造の本体部１４と、本体部１４上に設けられたＬ字形状の鍔部１５とを有する。そして、本体部１４の上壁と鍔部１５との間に内溝１６が形成されている。本体部１４の側面下部には、外溝１７が形成されている。但し、フレーム１３の形状は図２に示す形態に限定されず、例えば内溝１６と同様に、本体部１４の下壁にＬ字形状の鍔部を設けて外溝１７を形成してもよい。
【００１６】
内溝１６は、太陽電池パネル１２側、即ち太陽電池モジュール１１の内側を向いて開口した溝である。内溝１６は、フレーム１３の上部において、フレーム１３の長手方向に沿って形成される。内溝１６には太陽電池パネル１２の周縁部が挿入され、太陽電池パネル１２と内溝１６の隙間には、例えば接着剤が充填される。
【００１７】
外溝１７は、太陽電池パネル１２と反対側、即ち太陽電池モジュール１１の外側を向いて開口した溝である。外溝１７は、フレーム１３の下部において、フレーム１３の長手方向に沿って形成されている。外溝１７は、固定部材４０の後述する挿嵌部、及び雪止め部材２０の後述する挿嵌部が挿し込まれる空間であって、固定部材４０の挿嵌部、及び雪止め部材２０の挿嵌部を収容できる寸法（奥行深さＤ17、幅Ｗ17（上下方向長さ））を有する。
【００１８】
図３は、架台フレーム３０及び固定部材４０を示す斜視図である。
図３で例示するように、架台フレーム３０は、中空構造の本体部３１と、本体部１４上に設けられたＬ字形状の鉤部３２とを有する。鉤部３２は、架台フレーム３０の幅方向両側から幅方向内側に張り出している。そして、本体部３１の上壁と各鉤部３２との間に、固定部材４０をスライド可能に保持するガイドレール部３３が形成されている。ガイドレール部３３は、架台フレーム３０の全長に亘って形成されることが好適である。
【００１９】
固定部材４０は、架台フレーム３０に太陽電池モジュール１１を固定するための部材である。固定部材４０は、ガイドレール部３３に沿って架台フレーム３０の長手方向にスライド可能であり、例えばドリルネジ４６（図４参照）を用いて架台フレーム３０の所定箇所に固定される。固定部材４０は、ベース部４１と、立壁部４２と、第１挿嵌部４３と、第２挿嵌部４４とを有することが好適であり、例えばアルミニウム等の金属材料により一体成形される。以下では、固定部材４０がガイドレール部３３に挿入された状態で、架台フレーム３０の長手方向に沿う固定部材４０の方向を縦方向、架台フレーム３０の幅方向に沿う固定部材４０の方向を横方向とする。
【００２０】
ベース部４１は、ガイドレール部３３に挿入される部分であって、板状に形成されている。ベース部４１は、例えば屋根１００に固定された架台フレーム３０の棟側端部からガイドレール部３３に挿入され、スライド可能に保持される。ベース部４１には、ドリルネジ４６の先端の位置決めを容易にするための溝４５が形成されていることが好ましい。溝４５は、例えばベース部４１の縦方向両端部近傍において、横方向に沿ってそれぞれ形成される。
【００２１】
立壁部４２は、ベース部４１に対して略垂直に立設されており、ベース部４１の縦方向中央部において、横方向に沿って設けられることが好適である。立壁部４２の横方向長さは、ガイドレール部３３を構成する２つの鉤部３２の先端部同士の間隔よりも短く、立壁部４２は鉤部３２と干渉しないように形成されている。立壁部４２の厚み方向両側の各側面には、互いに同一形状及び同一寸法を有する第１挿嵌部４３及び第２挿嵌部４４がそれぞれ突設されている。各挿嵌部の立壁部４２からの突出長さは、外溝１７の奥行深さＤ17（図２参照）よりも短いことが好ましく、また各挿嵌部のベース部４１からの距離は同一であることが好ましい。
【００２２】
図４は、図１中のＡＡ線断面図である。
図４で例示するように、固定部材４０の第１挿嵌部４３は、軒側モジュール１１ａのフレーム１３ａに形成される外溝１７ａに挿し込まれている。第１挿嵌部４３の突出長さは外溝１７ａの奥行深さＤ17よりも短いため、立壁部４２がフレーム１３ａと接触するまで、第１挿嵌部４３を外溝１７ａに挿し込むことができる。同様に、第２挿嵌部４４は、棟側モジュール１１ｂのフレーム１３ｂに形成される外溝１７ｂに挿し込まれている。
【００２３】
固定部材４０の立壁部４２は、軒側モジュール１１ａ及び棟側モジュール１１ｂのフレーム１３ａ，１３ｂによって挟持されている。立壁部４２の上端面は、例えばフレーム１３ａ，１３ｂの上端面と略面一である。なお、立壁部４２をフレーム１３ａ，１３ｂの上端面よりも上方に突出させて、固定部材４０に雪止め部材の機能を持たせてもよい。但し、固定部材４０を雪止め部材として利用する場合も、架台フレーム３０から離れた任意の位置に取り付け可能な雪止め部材２０を設ける。
【００２４】
架台フレーム３０及び固定部材４０を用いた太陽電池モジュール１１の施工手順の一例は、下記の通りである。
（１）上記取り付け具を用いて棟軒方向に沿うように屋根１００に架台フレーム３０を取り付ける。
（２）架台フレーム３０上に軒側モジュール１１ａを載置する。架台フレーム３０の軒側端部には、例えば固定部材４０、或いは固定部材４０と同様にベース部４１、立壁部４２及び少なくとも１つの挿嵌部を有する部材が取り付けられ、軒側モジュール１１ａを軒側から支持する。
（３）架台フレーム３０の棟側端部からガイドレール部３３に固定部材４０を挿入して、架台フレーム３０上に載置された軒側モジュール１１ａの近傍まで固定部材４０をスライドさせる。そして、軒側モジュール１１ａのフレーム１３ａに形成された外溝１７ａに、固定部材４０の第１挿嵌部４３を挿し込んで軒側モジュール１１ａを棟側から支持し、ドリルネジ４６を用いてベース部４１を架台フレーム３０に固定する。これにより、軒側モジュール１１ａが固定される。
（４）棟側モジュール１１ｂを架台フレーム３０上に載置し、当該モジュールのフレーム１３ｂに形成された外溝１７ｂに、架台フレーム３０に固定された固定部材４０の第２挿嵌部４４を挿し込んで棟側モジュール１１ｂを軒側から支持する。
（５）架台フレーム３０の棟側端部には、例えば固定部材４０、或いは固定部材４０と同様にベース部４１、立壁部４２及び少なくとも１つの挿嵌部を有する部材が取り付けられて棟側モジュール１１ｂを棟側から支持し、棟側モジュール１１ｂが固定される。
（６）軒側モジュール１１ａの軒側端部及び棟側モジュール１１ｂの棟側端部には、図示しない化粧カバーが取り付けられてもよい。
【００２５】
以下、図５〜図７を参照しながら、雪止め部材２０について詳説する。以下の説明は、特に断らない限り、軒側モジュール１１ａと棟側モジュール１１ｂの間隙に配置される雪止め部材２０に関するものである。
【００２６】
図５は雪止め部材２０の斜視図であり、図６は図１中のＢＢ線断面図である。
図５及び図６に示すように、雪止め部材２０は、軒側モジュール１１ａ及び棟側モジュール１１ｂの間から上方に突出する雪止め壁２１を有する。即ち、雪止め壁２１の上端部は、フレーム１３ａ，１３ｂの上端面よりも上方に位置する。本実施形態では、雪止め壁２１がフレーム１３ａ，１３ｂに挟持されている。
【００２７】
雪止め部材２０は、雪止め壁２１に突設され、軒側モジュール１１ａ及び棟側モジュール１１ｂの外溝１７ａ，１７ｂのうち、少なくとも一方に挿し込まれる挿嵌部を有する。本実施形態では、雪止め壁２１に軒側挿嵌部２２及び棟側挿嵌部２３が突設されており、軒側挿嵌部２２がフレーム１３ａの外溝１７ａに、棟側挿嵌部２３がフレーム１３ｂの外溝１７ｂにそれぞれ挿し込まれている。即ち、雪止め部材２０は、軒側モジュール１１ａと棟側モジュール１１ｂとに跨って取り付けられている。雪止め壁２１に設けられる挿嵌部は、雪止め壁２１の厚み方向両側へ向けて突出している。
【００２８】
雪止め部材２０は、各太陽電池モジュール１１の長辺に沿って複数配置される。例えば、雪止め部材２０は各太陽電池モジュール１１を支持する２本の架台フレーム３０と重畳しない位置に複数配置される。また、架台フレーム３０と太陽電池モジュール１１の横方向端部との間であって、架台フレーム３０と重畳しない位置にも雪止め部材２０を取り付けることが好適であり、例えば横方向に隣接する２枚の太陽電池モジュール１１に跨って雪止め部材２０を取り付けることができる（図１参照）。太陽光発電装置１０の横方向に沿って直線状に延びる間隙が軒側モジュール１１ａと棟側モジュール１１ｂとの間に形成され、軒側モジュール１１ａと棟側モジュール１１ｂの間隙に雪止め部材２０が配置される。
【００２９】
棟軒方向に並んだ２枚の太陽電池モジュール１１により形成される１つの間隙において、雪止め部材２０のトータルの長さ（長手方向長さ）は、太陽電池モジュール１１の長辺の長さに対して５０％〜９０％程度が好ましく、６０％〜８０％程度がより好ましい。雨水、雪溶け水等の排水性及び施工性などの観点から、太陽電池モジュール１１の長辺の長さに対して２０％〜４０％の長さを有する雪止め部材２０を、複数配置することが好適である。
【００３０】
雪止め部材２０は、軒側モジュール１１ａと棟側モジュール１１ｂの間隙に加えて、軒側モジュール１１ａの軒側端部に取り付けられてもよい。例えば、軒側モジュール１１ａの軒側端部に設けられるフレーム１３ａの外溝１７ａに雪止め部材２０の挿嵌部を挿し込み、フレーム１３ａに雪止め部材２０をネジ止めする。この場合、雪止め部材２０の挿嵌部は１つであってもよい。また、軒側モジュール１１ａの軒側端部に化粧カバー等を取り付ける場合は、当該カバーとフレーム１３ａとで雪止め部材２０を挟持してもよい。
【００３１】
雪止め壁２１は、太陽電池モジュール１１（棟側モジュール１１ｂ）上に積もった雪を堰き止める役割を果たす。即ち、棟側モジュール１１ｂ上に降った雪は雪止め壁２１に引っ掛かって棟側モジュール１１ｂ上に積もる。雪止め壁２１のフレーム１３ａ，１３ｂからの突出長さＰ21は、降雪量等に応じて調整することができ、例えば５ｍｍ〜１０ｍｍ程度に設定される。例えば屋根１００が９寸勾配であり、雪止め壁２１の突出長さＰ21が７ｍｍである場合、棟側モジュール１１ｂ上の最大積雪量を７０ｃｍ程度とすることができる。
【００３２】
雪止め壁２１の厚み方向両側の各側面には、上記のように、軒側挿嵌部２２及び棟側挿嵌部２３がそれぞれ突設されている。各挿嵌部は、例えば互いに同一形状及び同一寸法を有する。各挿嵌部の雪止め壁２１からの突出長さＰ22，Ｐ23は、外溝１７の奥行深さＤ17よりも短く、また各挿嵌部の雪止め壁２１の上端部からの距離は同一である。本実施形態では、軒側挿嵌部２２がフレーム１３ａの外溝１７ａに、棟側挿嵌部２３がフレーム１３ｂの外溝１７ｂにそれぞれ挿し込まれることで、雪等の負荷に対する雪止め部材２０等の強度が向上する。また、棟軒方向に並んだ２枚の太陽電池モジュール１１が雪止め部材２０により結束されるため、積雪時等における各モジュールの撓みが抑制される。
【００３３】
雪止め壁２１は、軒側挿嵌部２２及び棟側挿嵌部２３よりも下方に延出して、軒側モジュール１１ａ及び棟側モジュール１１ｂの各フレームに挟持される部分である延出部２４を有することが好適である。雪止め壁２１が各挿嵌部よりも下方に延出してフレーム１３ａ，１３ｂに挟持されることで、雪止め部材２０の安定性がさらに向上する。なお、雪止め部材２０は、固定部材４０のように架台フレーム３０に固定されないためベース部４１を有さず、したがって横断面形状（側面形状）は十字形状である。
【００３４】
雪止め壁２１は、ネジ孔２５を有し、ネジ孔２５に挿通されるネジを用いてフレーム１３ａ，１３ｂの一方に固定されることが好適である。本実施形態では、ドリルネジ２６を用いてフレーム１３ａの本体部１４ａに雪止め壁２１が固定されている。ネジ孔２５は、雪止め壁２１を厚み方向に貫通して、本体部１４ａにネジ止め可能な位置に複数形成されている。ドリルネジ２６には皿ネジが用いられ、ネジ孔２５はドリルネジ２６の頭部が孔内に収まるように形成されることが好ましい。ネジ孔２５の入り口は、例えば棟側挿嵌部２３側に向かって拡径している。
【００３５】
図７は、雪止め部材２０の施工手順の一例を説明するための図である。
まず、図７（ａ）及び（ｂ）に示すように、軒側モジュール１１ａのフレーム１３ａに形成された外溝１７ａに、雪止め部材２０の軒側挿嵌部２２を挿し込む。軒側モジュール１１ａは、上記のように、架台フレーム３０上に固定部材４０等を用いて固定されている。雪止め部材２０は、軒側モジュール１１ａの長辺に沿って固定部材４０と干渉しない部分に所定の間隔をあけて複数取り付けられる。
【００３６】
次に、図７（ｃ）に示すように、雪止め壁２１のネジ孔２５にドリルネジ２６を挿入して雪止め部材２０をフレーム１３ａの本体部１４ａにネジ止めする。雪止め部材２０は、軒側挿嵌部２２が外溝１７ａに挿し込まれ、且つ雪止め壁２１が本体部１４ａにネジ止めされることで、フレーム１３ａに対して強固に取り付けられる。雪止め部材２０は、フレーム１３ｂにネジ止めすることもできるが、施工性の観点から、架台フレーム３０に先に載置される軒側モジュール１１ａのフレーム１３ａにネジ止めすることが好ましい。
【００３７】
次に、図７（ｄ）に示すように、フレーム１３ａに固定された雪止め部材２０の棟側挿嵌部２３を棟側モジュール１１ｂのフレーム１３ｂに形成された外溝１７ｂに挿し込む。なお、棟側モジュール１１ｂは、上記のように、架台フレーム３０上に固定部材４０等を用いて固定される。これにより、雪止め壁２１が２つのフレーム１３ａ，１３ｂにより挟持され、雪止め部材２０が軒側モジュール１１ａと棟側モジュール１１ｂとの間で安定に配置される。
【００３８】
以上のように、太陽光発電装置１０では、雪止め部材２０の軒側挿嵌部２２がフレーム１３ａの外溝１７ａに、棟側挿嵌部２３がフレーム１３ｂの外溝１７ｂにそれぞれ挿し込まれると共に、雪止め壁２１がフレーム１３ａ，１３ｂにより挟持されている。つまり、雪止め部材２０はフレーム１３ａ，１３ｂに対して強固に取り付けられている。太陽光発電装置１０は、雪止め部材２０を含む装置全体の剛性が高く耐久性に優れており、例えば雪止め部材２０に雪の負荷がかかっても、雪止め部材２０の脱落、破損等が発生し難い。また、棟軒方向に並ぶ２枚の太陽電池モジュール１１が雪止め部材２０等により結束される場合、例えば太陽電池モジュール１１上に雪が積もって荷重が加わっても、モジュールが撓み難く、モジュールの信頼性が向上する。
【００３９】
以下、図８〜図１５を参照しながら、実施形態の他の一例について詳説する。
【００４０】
図８に例示する雪止め部材２０ｘでは、雪止め壁２１に突設される軒側挿嵌部２２ｘの先端部に、外溝１７の幅Ｗ17（図２参照）よりも大きく、外溝１７に圧入可能な係合部６０が設けられている。即ち、係合部６０の上下方向長さＬ60＞外溝１７の幅Ｗ17である。係合部６０は、例えば軒側挿嵌部２２ｘの全長に亘って設けられ、横断面形状（側面形状）がＣ字形状である。係合部６０の上下方向長さＬ60は外溝１７の幅Ｗ17より大きいが、Ｃ字形状に形成された係合部６０の中心部には空洞が形成されているため、係合部６０は変形しやすい。係合部６０は、変形しながら外溝１７ａに圧入される。係合部６０を外溝１７ａに圧入することで、フレーム１３ａに対して雪止め部材２０がさらに強固に取り付けられ安定性が向上するため、ネジ止め前における雪止め部材２０の脱落を防止でき、或いはネジ止めを不要にすることも可能である。係合部６０は、両方の挿嵌部に設けられてもよいが、施工性の観点から、一方の挿嵌部に、特に外溝１７ａに挿し込まれる軒側挿嵌部２２に設けられることが好ましい。
【００４１】
図９に示す例では、複数の雪止め部材２０が互いに連結されて連結体７０を構成している。連結体７０は、例えば複数の雪止め部材２０が一列に並んだ構造を有する。連結体７０は、隣り合う雪止め部材２０を連結すると共に、取り付け時に切断可能な連結部７１を有する。連結部７１は、例えば隣り合う雪止め壁２１同士を接続しており、雪止め壁２１よりも薄肉に形成される。連結体７０を用いることで、部材の運搬、管理等が容易になり、取り付け時には連結部７１を切断して連結体７０を複数の雪止め部材２０に分離して各々を独立に取り扱うことができる。連結体７０は、そのままの状態、即ち複数の雪止め部材２０が互いに連結された状態で使用することもできる。図９に例示する雪止め部材２０は、少なくとも軒側モジュール１１ａと棟側モジュール１１ｂの間隙に配置される前において互いに連結されている。
【００４２】
図１０に例示する雪止め部材２０ｙは、延出部２４を有さず、横断面形状（側面形状）がＴ字形状を有する点で、雪止め部材２０と異なる。図１１に例示する雪止め部材２０ｚは、さらに雪止め壁２１に設けられる挿嵌部が１つのみ、例えば軒側モジュール１１ａの外溝１７ａに挿し込まれる軒側挿嵌部２２のみであり、横断面形状（側面形状）がＬ字形状を有する点で、雪止め部材２０ｙと異なる。挿嵌部が１つのみである場合、当該挿嵌部は外溝１７ａに挿し込まれることが好ましい。
【００４３】
図１２に例示する雪止め部材２０ｍ，２０ｎは、固定部材４０（図１３参照）を跨いで取り付け可能である点で、雪止め部材２０と異なる。図１２に示す例では、軒側モジュール１１ａと棟側モジュール１１ｂとの間に、雪止め部材２０ｍ，２０ｎが１つずつ、合計２つの雪止め部材が取り付けられている。雪止め部材２０ｍ，２０ｎは、各々の間に小さな隙間をあけて配置されているが、互いに接触した状態で配置されていてもよい。１つの雪止め部材に複数の切欠きを形成してもよいが、施工性、強度等を考慮すると、１つの雪止め部材に形成される切欠きは１つであることが好ましい。雪止め部材２０ｍ，２０ｎは、後述する切欠き８０の形成位置が互いに異なっている。その他の構成は実質的に同じであるから、以下では、雪止め部材２０ｍについて説明する。
【００４４】
図１３は、図１２のＣＣ線断面の一部を示す（モジュールフレーム１３ａは省略）。雪止め部材２０ｍの雪止め壁２１ｍには、固定部材４０との接触を避けるための切欠き８０が形成されている。そして、雪止め部材２０ｍは、固定部材４０が設けられる位置に切欠き８０を配置し、固定部材４０を跨いで取り付けられる。雪止め壁２１ｍに切欠き８０を形成したことで、固定部材４０が設けられる位置にも雪止め部材２０ｍを取り付けることが可能となり、雪止め性能がさらに向上する。
【００４５】
切欠き８０は、雪止め壁２１ｍをコの字状に切欠いて形成されている。また、切欠き８０は、雪止め部材２０ｍの横方向中央部と横方向端部との間に形成されている。但し、切欠き８０は雪止め部材２０ｍが固定部材４０等と接触しない寸法に形成されていればよく、その形状はコの字状に限定されない。切欠き８０の形状は、例えば半円状であってもよい。切欠き８０の形成位置は固定部材４０が設けられる位置に応じて変更可能である。
【００４６】
切欠き８０の横方向長さＷ80は、固定部材４０の横方向長さＷ40よりも長い。図１３に示す例では、雪止め壁２１ｍがフレーム１３ａ，１３ｂの下端部よりも下方に延びているため、切欠き８０の横方向長さＷ80を架台フレーム３０の横方向長さＷ30よりも長くしている。これにより、架台フレーム３０と干渉することなく、雪止め部材２０ｍを取り付けることができる。なお、雪止め壁２１ｍがフレーム１３ａ，１３ｂの下端部よりも下方に延出しない場合は、横方向長さＷ80を、Ｗ40＜Ｗ80＜Ｗ30とすることも可能である。切欠き８０の横方向長さＷ80は、施工性、強度等を考慮すると、架台フレーム３０の横方向長さＷ30の１．２〜１．５倍程度が好ましい。切欠き８０の上下方向長さは、後述の第３壁部２１ｈと固定部材４０との間に隙間が形成される長さに設定される。
【００４７】
雪止め壁２１ｍは、コの字状に形成された切欠き８０によって３つの部分（第１壁部２１ｆ、第２壁部２１ｇ、第３壁部２１ｈ）に分かれている。第１壁部２１ｆは、固定部材４０よりも太陽電池モジュール１１の横方向一端側に配置される部分であり、第２壁部２１ｇは、固定部材４０よりも太陽電池モジュール１１の横方向他端側（雪止め部材２０ｎ側）に配置される部分である。第１壁部２１ｆ及び第２壁部２１ｇの上下方向長さは同じであるが、第２壁部２１ｇは、第１壁部２１ｆよりも横方向に長い。ネジ孔２５は、第２壁部２１ｇに形成されている。
【００４８】
切欠き８０は、第１壁部２１ｆと第２壁部２１ｇとを連結する第３壁部２１ｈを残して形成される。第３壁部２１ｈは、固定部材４０との間に隙間をあけて固定部材４０上に配置され、固定部材４０上において雪を堰き止める。雪止め壁２１ｍは、フレーム１３ａ，１３ｂの上面よりも上方に突き出た突出長さが横方向全長に亘って同じである。
【００４９】
図１４は、図１２のＤＤ線断面の一部を示す。但し、図１４では立壁部４２の上端面とフレーム１３ａ，１３ｂの上端面とが略面一となる固定部材４０の代わりに、固定部材４０ｍを取り付けた場合を図示している。固定部材４０ｍは、立壁部４２の高さが低く、立壁部４２の上端面がフレーム１３ａ，１３ｂの上端面よりも低い位置にある。第３壁部２１ｈは、その全体がフレーム１３ａ，１３ｂの上端面より上方に位置していてもよいが、好ましくは一部がフレーム１３ａ，１３ｂの間に位置し、少なくともフレーム１３ａと接触している。この場合、第３壁部２１ｈがフレーム１３ａによって支持され、或いはフレーム１３ａ，１３ｂによって挟持され、第３壁部２１ｈの耐久性が向上する。
【００５０】
図１５は、図１２のＥＥ線断面の一部を示す。但し、図１５では雪止め壁２１ｍ（第２壁部２１ｇ）とフレーム１３ｂとの間に隙間を設けて棟側モジュール１１ｂを配置した場合を図示している。雪止め部材２０ｍは、棟側モジュール１１ｂの下まで延び、フレーム１３ｂの下面に接触する棟側延出部８２を有し、軒側モジュール１１ａと棟側モジュール１１ｂとに跨って取り付けられている。棟側延出部８２は、フレーム１３ａ，１３ｂの下端部よりも下方に延出した雪止め壁２１ｍの下端部から棟側に延出し、雪止め壁２１ｍに対して略垂直に設けられている。棟側延出部８２は、常にフレーム１３ａの下面に接触していなくてもよく、例えば雪止め壁２１ｍに雪の荷重が加わったときフレーム１３ａの下面に接触してもよい。棟側延出部８２は、フレーム１３ｂによって上から押え付けられるので、雪止め部材２０ｍの下部が持ち上がることを防止し、例えばフレーム１３ａに対する雪止め部材２０ｍの固定性を向上させる。
【００５１】
雪止め部材２０ｍは、軒側モジュール１１ａの下まで延び、フレーム１３ａの下面に接触する軒側延出部８１をさらに有する。軒側延出部８１は、軒側挿嵌部２２と共にフレーム１３ａを挟持し、フレーム１３ａに対する雪止め部材２０ｍの固定性を向上させる。図１５に示す例では、棟側延出部８２の延出長さが軒側延出部８１の延出長さよりも長いが、両者の長さは同じであってもよい。なお、雪止め部材２０ｍには、棟側挿嵌部２３が設けられていないが、棟側挿嵌部２３を設けて当該挿嵌部を外溝１７ｂに挿し込んでもよい。また、軒側延出部８１、棟側延出部８２の少なくとも一方を有さない形態としてもよい。
【符号の説明】
【００５２】
１０  太陽光発電装置、１１，１１ａ，１１ｂ  太陽電池モジュール、１２，１２ａ，１２ｂ  太陽電池パネル、１３，１３ａ，１３ｂ  モジュールフレーム、１４，１４ａ，１４ｂ  本体部、１５，１５ａ，１５ｂ  鍔部、１６，１６ａ，１６ｂ  内溝、１７，１７ａ，１７ｂ  外溝、２０，２０ｍ，２０ｎ，２０ｘ，２０ｙ，２０ｚ  雪止め部材、２１，２１ｍ  雪止め壁、２１ｆ  第１壁部、２１ｇ  第２壁部、２１ｈ  第３壁部、２２，２２ｘ  軒側挿嵌部、２３  棟側挿嵌部、２４  延出部、２５  ネジ孔、２６，４６  ドリルネジ、３０  架台フレーム、３１  本体部、３２  鉤部、３３  ガイドレール部、４０，４０ｍ  固定部材、４１  ベース部、４２  立壁部、４３  第１挿嵌部、４４  第２挿嵌部、４５  溝、６０  係合部、７０  連結体、７１  連結部、８０  切欠き、８１  軒側延出部、８２  棟側延出部、１００  屋根
【図１】
2016070048.tif 000003
【図２】
2016070048.tif 000004
【図３】
2016070048.tif 000005
【図４】
2016070048.tif 000006
【図５】
2016070048.tif 000007
【図６】
2016070048.tif 000008
【図７】
2016070048.tif 000009
【図８】
2016070048.tif 000010
【図９】
2016070048.tif 000011
【図１０】
2016070048.tif 000012
【図１１】
2016070048.tif 000013
【図１２】
2016070048.tif 000014
【図１３】
2016070048.tif 000015
【図１４】
2016070048.tif 000016
【図１５】
2016070048.tif 000017